(57)【要約】      （修正有）【課題】前板の側面を好適に覆いながらもサイドキャップが必要以上に目立つことがなく、収納庫の美観の向上を図ることが可能な収納庫を提供する。【解決手段】収納庫（ベースキャビネット）の構成は、被収納物を収納可能なスライド式の引出（足下収納庫１３６）を備える収納庫であって、引出は、引出の前面を構成する前板３０２と、前板の側面を覆うように側面３０２ｅおよび３０２ｆに取り付けられるサイドキャップ３１０ａおよび３１０ｂと、を備え、サイドキャップの前面は、引出の幅方向での断面視において、前方に突出するように湾曲している。【選択図】図３
2012157400.tif 000002
【特許請求の範囲】
【請求項１】
被収納物を収納可能なスライド式の引出を備える収納庫であって、
前記引出は、
該引出の前面を構成する前板と、
前記前板の側面を覆うように該側面に取り付けられるサイドキャップと、
を備え、
前記サイドキャップの前面は、前記引出の幅方向での断面視において、前方に突出するように湾曲していることを特徴とする収納庫。
【請求項２】
被収納物を収納可能なスライド式の引出を備える収納庫であって、
前記引出は、
該引出の前面を構成する前板と、
前記前板の側面を覆うように該側面に取り付けられるサイドキャップと、
を備え、
前記サイドキャップは、その前面の外側の縁に傾斜面または湾曲面を有することを特徴とする収納庫。
【請求項３】
前記引出の前板は、アルミニウム系材料を押出成型することにより製造されることを特徴とする請求項１または請求項２に記載の収納庫。
【発明の詳細な説明】
【技術分野】
【０００１】
本発明は、被収納物を収納可能なスライド式の引出を備える収納庫に関する。
【背景技術】
【０００２】
キッチンには、調理器具や調理材料、食器などを収納しておくために、多くの収納スペースが設けられている。このため天板（システムキッチンにおいてはワークトップ）の下には、引出や開き戸を備える収納庫が設けられるのが通常である。特に近年では、収納庫の最下段の引出（以下、足下収納庫と称する。）の下端を床面の直上まで延長し、かかる引出ひいては収納庫全体の収納スペースの拡大を図っている（例えば特許文献１）。
【先行技術文献】
【特許文献】
【０００３】
【特許文献１】特開２００２−２８２０７０号公報
【発明の概要】
【発明が解決しようとする課題】
【０００４】
ところで、収納庫やそれに収容される引出の構成材料としては、木材や金属材料が主流であり、コストパフォーマンスにおいては木材が、耐久性においては金属材料が優れている。このため、収納庫の引出のうち、足がぶつかったり、清掃時に掃除機等が当たったりすることが想定される足下収納庫の前板には耐久性の高い金属材料が好適であり、足下収納庫ほどの高い耐久性が要求されない他の引出の前板は木材で構成すれば低コスト化を図ることが可能である。
【０００５】
上記の引出の前板は、長尺の部材を所定の長さに切断して製造することが好ましい。このとき、前板において、切断面である端面（側面）が切断時のままの状態であると、美観において優れているとは言いがたい。また、特に前板が金属材料からなる場合、端面が切断時のままであると、かかる端面に使用者の手や物品等が接触した場合にそれらを傷つけてしまう可能性がある。このため、切断後の前板の端面には処理が必要となる。
【０００６】
木材は、研磨等の加工による端面の処理が比較的容易であるものの、金属材料は硬度が高い等の理由からその処理が困難である。故に、足下収納庫以外の引出の木製の前板は研磨等により端面の処理を行い、足下収納庫の金属製の前板には、端面を覆う部材（以下、サイドキャップと称する）を被せることにより、かかる端面を処理していた。
【０００７】
しかしながら、前板の端面をサイドキャップで覆うと、サイドキャップは前板の前面に少なからず露出する。すると、収納庫の正面視において、サイドキャップそのものの厚みに、前板の前面に露出した部分の厚みが加わり、収納庫の外観においてサイドキャップが必要以上に目立ってしまい、使用者が違和感を覚えたり、収納庫の美観の低下を招いてしまったりするおそれがある。
【０００８】
本発明は、このような課題に鑑み、前板の側面を好適に覆いながらもサイドキャップが必要以上に目立つことがなく、収納庫の美観の向上を図ることが可能な収納庫を提供することを目的としている。
【課題を解決するための手段】
【０００９】
上記課題を解決するために、本発明にかかる収納庫の代表的な構成は、被収納物を収納可能なスライド式の引出を備える収納庫であって、引出は、引出の前面を構成する前板と、前板の側面を覆うように側面に取り付けられるサイドキャップと、を備え、サイドキャップの前面は、引出の幅方向での断面視において、前方に突出するように湾曲していることを特徴とする。
【００１０】
上記構成のようにサイドキャップの前面を湾曲させると、サイドキャップの前面が丸みを帯びた形状になり、平坦な領域が減少する。これにより、サイドキャップの前面の幅が狭く見えるため、サイドキャップが収納庫の前面において必要以上に目立つことがない。したがって、前板の側面を好適に覆いつつ、収納庫の美観の向上を図ることが可能となる。
【００１１】
上記課題を解決するために、本発明にかかる収納庫の他の構成は、被収納物を収納可能なスライド式の引出を備える収納庫であって、引出は、引出の前面を構成する前板と、前板の側面を覆うように側面に取り付けられるサイドキャップと、を備え、サイドキャップは、その前面の外側の縁に傾斜面または湾曲面を有することを特徴とする。
【００１２】
かかる構成のようにサイドキャップの前面の縁を傾斜または湾曲させた場合においても、その縁近傍が丸みを帯びた形状になり、サイドキャップの前面の平坦な領域が減少する。したがって、上記と同様の利点を得ることができる。
【００１３】
上記の引出の前板は、アルミニウム系材料を押出成型することにより製造されるとよい。このようにアルミニウム系材料を用いることにより高級感を高めることができ、押出成型することにより、その製造が容易となる。
【発明の効果】
【００１４】
本発明によれば、前板の側面を好適に覆いながらもサイドキャップが必要以上に目立つことがなく、収納庫の美観の向上を図ることが可能な収納庫を提供することができる。
【図面の簡単な説明】
【００１５】
【図１】本実施形態にかかる収納庫を備えるキッチンを示す図である。
【図２】本実施形態にかかる足下収納庫の詳細を示す図である。
【図３】本実施形態にかかる足下収納庫の詳細を示す図である。
【図４】サイドキャップの詳細を示す図である。
【図５】サイドキャップの他の形状を示す断面図である。
【発明を実施するための形態】
【００１６】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１７】
（キッチン）
図１は本実施形態にかかる収納庫を備えるキッチンを示す図である。キッチン１００は一枚の天板１１０（ワークトップ）の下に複数の収納庫（キャビネット）を備えた、いわゆるシステムキッチンである。天板１１０は合成樹脂（人工大理石）やステンレスなどからなり、キッチン１００の全体の上面を覆っている。また天板１１０には、組み込み式に取り付けられたコンロ１１２、平坦なテーブル面であり主に調理を行うのに利用される調理スペース１１４、天板１１０に一体形成されたシンク１１６が設けられる。
【００１８】
天板１１０の下は、コンロ１１２本体が設置されているコンロキャビネット１２０と、調理スペース１１４に対応したベースキャビネット１３０と、シンク１１６が設置されているシンクキャビネット１４０といった各収納庫で構成される。各収納庫は収納スペースとして機能し、収納庫内の空きスペースには、コンロ１１２への配線や、シンク１１６および水栓への給排水管なども収容されている。このように、天板１１０の下では、天板１１０の上のシンク１１６やコンロ１１２といった各構成に対応した収納庫がその高さおよび奥行きを等しくして複数設けられている。
【００１９】
各収納庫は、被収納物を収納するために、様々な大きさのスライド式の引出を設けている。コンロキャビネット１２０は、上部にコンロ１１２のグリル１１２ａおよび操作パネル１１２ｂを備え、その脇には調味料などの小物を収納するための小さな引出であるスパイスボックス１２２が配設されている。コンロキャビネット１２０の中央部（グリル１１２ａの下）には幅の広い大きな引出１２４が配設され、鍋やボウルなどの比較的大きな調理器具を収納することが可能になっている。またコンロキャビネット１２０の下部の床近傍（最下段）には、スライド式の引出（足元収納）である足下収納庫１２６が配設されている。同様に、ベースキャビネット１３０には複数の引出１３２、１３４、および足下収納庫１３６が配設され、シンクキャビネット１４０には引出１４４、および足下収納庫１４６が配設されている。
【００２０】
（引出）
次に、本実施形態の特徴である引出について説明する。なお、以下の説明では、上述した引出１２４、１３２、１３４および１４４、ならびに床近傍に設けられる引出である足下収納庫１２６、１３６および１４６のうち、足下収納庫１３６を例示するが、本発明は他の引出１２４、１３２、１３４および１４４や、他の足下収納庫１２６および１４６にも適用可能である。
【００２１】
図２および図３は、本実施形態にかかる足下収納庫１３６の詳細を示す図であり、図２（ａ）は足下収納庫の正面斜視図１３６であり、図２（ｂ）は図２（ａ）のＡ−Ａ断面図である。図３（ａ）は図２（ａ）の背面斜視図であり、図３（ｂ）は図３（ａ）の分解斜視図である。なお、図２（ｃ）では足下収納庫１３６の左側を例示して説明するが、右側についても左右対称に同様の構成であることは言うまでもない。
【００２２】
図２（ａ）および図３（ａ）に示すように、足下収納庫１３６は、その前面を構成する前板３０２、側面を構成する２枚の側板３０４ａおよび３０４ｂ、底面を構成する底板３０６、および背面を構成する背板３０８を備える。
【００２３】
前板３０２は、その側面視において上方から順に、正面部３０２ａ、正面部３０２ａに連続して後方に向かう屈曲部３０２ｂ、および屈曲部３０２ｂに連続し且つ後方に向かうにつれて下方に傾斜する蹴込み部３０２ｃを有する。かかる構成により、足下収納庫１３６の下部がベースキャビネット１３０（キッチン１００）の後方に向かって後退し、ベースキャビネット１３０の前方に蹴込み１０２（図１参照）を形成することができる。これにより、キッチン１００での作業時における使用者の足とベースキャビネット１３０（足下収納庫１３６）との干渉を避けることができる。
【００２４】
上記の前板３０２は、アルミニウム系材料を押出成型することにより製造される。このようにアルミニウム系材料を用いることにより高級感を高めることができ、押出成型することにより、切断位置の変更によって横幅の寸法が異なるコンロキャビネット１２０の足下収納庫１２６やシンクキャビネット１４０の足下収納庫１４６（複数の収納庫）の前板を同一の金型で容易に製造可能となる。したがって、金型コストひいては部品コストを削減することができる。
【００２５】
また本実施形態において、図３（ｂ）に示す前板３０２の側面３０２ｅおよび３０２ｆ（両端面）は、図３（ａ）に示すようにサイドキャップ３１０ａおよび３１０ｂにより覆われる。図４は、サイドキャップ３１０ａの詳細を示す図であり、図４（ａ）はサイドキャップ３１０ａの内側側面図であり、図４（ｂ）は図４（ａ）のＢ−Ｂ断面図である。なお、サイドキャップ３１０ａおよび３１０ｂは左右対称な同一形状を有するため、以下の説明ではサイドキャップ３１０ａを例示する。
【００２６】
図４（ａ）に示すように、サイドキャップ３１０ａにおいて、足下収納庫１３６の内側に配置される面、すなわち前板３０２の側面３０２ｅに対向する面（サイドキャップ３１０ｂにおいては側面３０２ｆに対向する面）には、かかる側面３０２ｅに対応する形状の溝部３１２が形成されている（図４（ｂ）参照）。これにより、図３（ｂ）に示す矢印の方向にサイドキャップ３１０ａを移動して前板３０２の側面３０２ｅを溝部３１２に挿入すると、図３（ａ）に示すように前板３０２にサイドキャップ３１０ａが取り付けられてその側面３０２ｅが覆われ、足下収納庫１３６の側面の美観を向上させることができる。
【００２７】
一方、図３（ｂ）に示すように、サイドキャップ３１０ａの背面には側板接続面３１４ａ（サイドキャップ３１０ｂにおいては側板接続面３１４ｂ）が設けられている。この側板接続面３１４ａに側板３０４ａの前端を固定することにより、前板３０２と側板３０４ａ（サイドキャップ３１０ｂにおいては側板３０４ｂ）とが接続される。このように、溝部３１２によって前板３０２にサイドキャップ３１０ａを取り付け、サイドキャップ３１０ａの側板接続面３１４ａに側板３０４ａを固定することにより、サイドキャップ３１０ａを介して前板３０２と側板３０４ａとを接続することができる。
【００２８】
なお、本実施形態においてはサイドキャップ３１０ａによって前板３０２と側板３０４ａとを接続したが、これに限定するものではない。例えば、サイドキャップ３１０ａには前板３０２の側面３０２ｅを覆う機能だけを担わせ、前板３０２と側板３０４ａとを直接接続する構成とすることも可能である。
【００２９】
上述したように前板３０２の側面３０２ｅにサイドキャップ３１０ａを取り付けると、サイドキャップ３１０ａの前面３１６が足下収納庫１３６（前板３０２）の前面に露出する。本実施形態では、この前面３１６を目立たせない構成としている。詳細には、図４（ｂ）に示すように、本実施形態ではサイドキャップ３１０ａの前面３１６を、足下収納庫１３６（引出）の幅方向での断面視において、前方に突出するように湾曲させる。これにより、サイドキャップ３１０ａの前面３１６が丸みを帯びた形状になるため平坦な領域が減少し、その前面３１６の幅が狭く見える。特に足下収納庫１３６は通常の使用状態において比較的暗く、上方から急角度で観察されることから、前面３１６が湾曲していることによりその頂点のみしか意識されなくなり、現実以上に幅を狭く見せる視覚的効果を得ることができる。したがって、サイドキャップ３１０ａがベースキャビネット１３０（収納庫）の前面において必要以上に目立つことがなく、サイドキャップ３１０ａによって前板の側面を好適に覆いつつ、収納庫の美観の向上を図ることが可能となる。
【００３０】
なお、他の形状として、サイドキャップ３１０ａは、その前面３１６の外側の縁に傾斜面または湾曲面を有してもよい。図５は、サイドキャップ３１０ａの他の形状を示す断面図である。図５（ａ）に示すサイドキャップ３１０ａでは、前面３１６の外側の縁に傾斜面３１６ａを有していて、図５（ｂ）に示すサイドキャップ３１０ａでは、前面３１６の外側の縁に湾曲面３１６ｂを有している。このような形状によっても、サイドキャップ３１０ａの前面３１６の平坦な領域を減少させることができ、上記と同様の利点を得ることが可能となる。
【００３１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３２】
本発明は、被収納物を収納可能なスライド式の引出を備える収納庫に利用することができる。
【符号の説明】
【００３３】
１００…キッチン、１０２…蹴込み、１１０…天板、１１２…コンロ、１１２ａ…グリル、１１２ｂ…操作パネル、１１４…調理スペース、１１６…シンク、１２０…コンロキャビネット、１２２…スパイスボックス、１２４…引出、１２６…足下収納庫、１３０…ベースキャビネット、１３２…引出、１３４…引出、１３６…足下収納庫、１４０…シンクキャビネット、１４４…引出、１４６…足下収納庫、３０２…前板、３０２ａ…正面部、３０２ｂ…屈曲部、３０２ｃ…蹴込み部、３０２ｅ…側面、３０２ｆ…側面、３０４ａ…側板、３０４ｂ…側板、３０６…床板、３０８…背板、３１０ａ…サイドキャップ、３１０ｂ…サイドキャップ、３１２…溝部、３１４ａ…側板接続面、３１４ｂ…側板接続面、３１６…前面、３１６ａ…傾斜面、３１６ｂ…湾曲面
【図１】
2012157400.tif 000003
【図２】
2012157400.tif 000004
【図３】
2012157400.tif 000005
【図４】
2012157400.tif 000006
【図５】
2012157400.tif 000007